(57)【要約】【課題】二層目配線として一層目配線と重なりを持たない透明ではない配線を形成すると、それによる遮光で輝度が小さくなる。【解決手段】前面板における誘電体層に形成された、対向する方向に複数の分割された対向電極からなる一層目配線と、二層目配線の重なりを大きくすることで遮光の影響を小さくすることができ、また開口率減少を小さくでき、全面点灯電圧を低電圧化することができる高品質表示のプラズマディスプレイパネルを得ることができる。【選択図】図１
2005310576.tif 000002
【特許請求の範囲】
【請求項１】
誘電体で覆われた複数の対向電極が配設された第１の基板と，複数のデータ電極と蛍光体層が配設された第２の基板が，隔壁を介して，前記対向電極と前記データ電極が相対して対向配設され，前記隔壁に沿って内部にガス媒体が封入された複数の放電空間が形成されてなるプラズマディスプレイパネルであって、
第１の基板に形成された対向電極は，維持放電を生じさせる走査電極、維持電極がそれぞれ対向する方向に複数に分割された電極であり、誘電体層の厚さ方向で異なる位置に他の一対の電極が形成されていることを特徴とするプラズマディスプレイパネル。
【請求項２】
前記分割された走査電極、維持電極の少なくとも一部と前記他の一対の電極とが誘電体の膜厚方向に対して平面的に重なりを持つことを特徴とする請求項１記載のプラズマディスプレイパネル。
【請求項３】
前記他の一対の電極は、前記走査電極、維持電極とそれぞれが導通していることを特徴とする請求項２記載のプラズマディスプレイパネル。
【請求項４】
前記他の一対の電極は、前記走査電極、維持電極を構成する複数に分割された配線のうち、互いに最も近接する配線と平面的に重なりを持つことを特徴とする、
請求項２記載のプラズマディスプレイパネル。
【請求項５】
前記他の一対の電極は、フローティングとなるように形成されていることを特徴とする請求項２記載のプラズマディスプレイパネル。
【請求項６】
前記他の一対の電極は、誘電体と保護膜の間に形成されていることを特徴とする請求項５記載のプラズマディスプレイパネル。
【請求項７】
前記他の一対の電極は、前記走査電極、維持電極を構成する複数に分割された配線のうち、互いに最も離れた配線と平面的に重なりを持つことを特徴とする請求項５記載のプラズマディスプレイパネル。
【請求項８】
前記他の一対の電極配線幅は、前記走査電極、維持電極を構成する配線の幅よりも、幅が狭いことを特徴とする請求項１記載のプラズマディスプレイパネル。
【請求項９】
前記走査電極、維持電極を構成する配線が含まれるように前記他の一対の電極が走査電極、維持電極と平面的に重なりを持つことを特徴とする請求項８記載のプラズマディスプレイパネル。
【請求項１０】
前記他の一対の電極は、可視光に対して透明でない導電体で形成されていることを特徴とする請求項１記載のプラズマディスプレイパネル。
【請求項１１】
前記他の一対の電極は、前記走査電極、維持電極を形成している導電体と同じ材料の導電体で形成されていることを特徴とする請求項１記載のプラズマディスプレイパネル。
【発明の詳細な説明】
【技術分野】
【０００１】
本発明は、気体放電からの放射を利用したプラズマディスプレイ（気体放電表示）パネルに関し、その画質向上のための放電セル構造に関するものである。
【背景技術】
【０００２】
従来の気体放電からの放射を利用した平面表示装置として、プラズマディスプレイ装置（以下、ＰＤＰと記す）の商品化が図られている。ＰＤＰには直流型（ＤＣ型）と交流型（ＡＣ型）があるが、大型表示装置として現時点ではＡＣ型ＰＤＰがより高い技術的ポテンシャルを持つ。さらに、ＡＣ型の中でも特に寿命特性のすぐれた面放電型ＰＤＰが商品としての主流になっている。
【０００３】
図４は、従来の面放電型ＡＣ型ＰＤＰの構造を示す断面斜視概念図である。図４において、前面板２と背面板３の２枚のガラス基板を重ね合わせて周辺を気密封着した発光板容囲器からなり、前面板２の内表面には各放電セル１つ当たりに走査（スキャン）電極４および維持（サステイン）電極５とが設けられている。さらに、誘電体層１０と保護膜層１１が設けられ、他方の背面板３の内表面には、各放電セル１つ当たりに走査電極４および維持電極５に直交して配置されているデータ（アドレス）電極１２と、さらにその上には誘電体層１３、隔壁１４および蛍光体層１５が設けられている。発光板容囲器の内部には放電ガス１６として希ガスのキセノン・ネオンあるいはキセノン・ヘリウムなどの混合ガスが封入されている。
【０００４】
ここで、表示するために直接発光させているのは、前面板２上の走査電極４と維持電極５によってであり、データ電極１２は放電表示単位である放電セル１を選択するための電極であり、表示発光には直接寄与していない。放電単位である放電セル１を複数個マトリックス状に配列し、プラズマディスプレイ装置を形成している。プラズマディスプレイ装置には、図４では省略しているが、放電セルをマトリックス状に駆動する駆動回路やこれらを制御する制御回路などが備わっている。
【０００５】
上記従来のＡＣ型ＰＤＰは、３つの動作期間（図示省略）、つまり（１）全表示セルを初期化状態にする初期化期間、（２）各放電セルをアドレスし、各セルへ入力データに対応した表示状態を選択・入力していくデータの書き込み期間、（３）表示状態にあるセルを表示発光させる維持放電期間とから構成されるアドレス・表示分離駆動方式により、駆動表示されている。
【０００６】
上記ＰＤＰの従来の技術では、プラズマディスプレイパネルの発光効率を向上させるために、誘電体層の実質的な厚さを放電セル内で変化させようと、維持電極が対向する箇所の誘電体層の膜厚を最も薄くする構造や、二層目配線をＡｇで形成してメインギャップを小さくする構造が提案されているが、良好なプラズマディスプレイパネルを得ることが困難であった。
【特許文献１】特開２００２−４２６６４号公報
【特許文献２】特開２００２−１３４０３０号公報
【発明の開示】
【発明が解決しようとする課題】
【０００７】
特許文献１の従来の技術では、複数の層からなる一層目配線及び二層目配線をそれぞれ形成し、上層に位置する二層目配線の上に上部誘電体層を形成し、面放電電極対上の誘電体層の膜厚を薄くすることにより、低い放電維持電圧を保ち、且つ、高い発光効率を得ることができる。しかしながら、この構造のプラズマディスプレイパネルでは、金属あるいは金属微粒子を主成分とする導体からなる二層目配線の遮光による影響が大きく、輝度低下が問題となっている。
【課題を解決するための手段】
【０００８】
本発明のプラズマディスプレイパネルは、前記課題を解決するために、誘電体で覆われた複数の対向電極が配設された第１の基板と、複数のデータ電極と蛍光体層が配設された第２の基板が、隔壁を介して、前記対向電極と前記データ電極が相対して対向配設され、前記隔壁に沿って内部にガス媒体が封入された複数の放電空間が形成されてなるプラズマディスプレイパネルであって、第１の基板に形成された対向電極は、維持放電を生じさせる走査電極、維持電極がそれぞれ対向する方向に複数に分割された電極であり、誘電体層の厚さ方向で異なる位置に他の一対の電極が形成されていることを特徴とする。
【０００９】
また、前記分割された走査電極、維持電極の少なくとも一部と前記他の一対の電極とが誘電体の膜厚方向に対して平面的に重なりを持つことを特徴とする。
【００１０】
すなわち、本発明のプラズマディスプレイパネルによれば、透明電極を持たない電極構成に対して他の一対の電極からなる二層目配線を導入し、走査電極、維持電極からなる一層目配線との重なりを大きくすることで、二層目配線による遮光の影響を少なくすることができ、開口率減少を小さくし、輝度低下がなく、画質及び効率を向上できるプラズマディスプレイパネルとすることができる。
【００１１】
また、本発明のプラズマディスプレイによれば、一層目配線と二層目配線との重なりを多く持たせ、走査電極、維持電極を構成する複数に分割された配線のうち、互いに最も近接する配線と平面的に重なりを持つ構造で導通させ、二層目配線の間隔をより狭くすることで、放電開始電圧を低く抑えることができ、高Ｘｅ化に対応できる。これにより、消費電力の低いプラズマディスプレイを得ることができる。また、耐圧の低いドライバＩＣを使用することができ、コストを削減できる。
【００１２】
また、本発明のプラズマディスプレイパネルによれば、二層目配線を一層目配線の最も離れた位置に形成する。この構造であれば、放電が隣接セルへ近づくのを防ぐことができるため、クロストークを減らすことができる。また、放電ばらつきを小さくすることもできる。
【００１３】
さらに、二層目配線をフローティングにすることで、容量が下がり、無効電力を低減することができる。
【００１４】
本発明のプラズマディスプレイパネルによれば、一対の電極配線幅を、走査電極、維持電極を構成する配線の幅よりも狭くしている。これによって、二層目配線による遮光をより低減することができる。
【００１５】
また、本発明のプラズマディスプレイパネルによれば、二層目配線を走査電極、維持電極を形成している導電体と同じ材料の導電体で形成する。これによって、製造コストを低下でき、また誘電体の色付き制御が容易となる。
【発明の効果】
【００１６】
以上のように、本発明のプラズマディスプレイパネルは、前記課題を回避するため、透明電極を持たない電極構成に対して二層目配線を形成した。そして、一層目配線と二層目配線との重なりを多く持たせることで、開口率の影響が少なくなり、輝度低下がなく、画質向上、効率向上を簡易なプロセスにより低コストで製造できる。
【発明を実施するための最良の形態】
【００１７】
最初に、ＰＤＰの放電における開口率減少を小さくし、輝度低下がなく、画質及び効率を向上し、ＰＤＰの表示を良好にするための技術を、図面を用いて説明する。
【００１８】
図２は、本発明に関連する一層目配線と二層目配線との重なりを多く持たせた構成を示す概念図である。放電セル１において、少なくとも前面板２に形成された一層目配線４ａ〜４ｃ及び５ａ〜５ｃと同じく前面板２に形成された二層目配線１７ａ、１７ｂが、放電ガス１６内に対して重なりを多く持つ構成とし、開口率減少を小さくしている。これによって、輝度低下を制御しつつ、二層目配線による放電制御を可能とし、輝度低下がなく、画質及び効率を向上することができる。
【００１９】
上述した課題を解決するために、以下、本発明の好ましい実施の形態を、図面を用いて詳細に説明する。
【００２０】
（実施の形態１）
図１は、本発明の実施の形態１のＰＤＰの構成を示す断面斜視概念図である。図１において、ＰＤＰパネル１０１は、前面板２と背面板３の２枚のガラス基板を重ね合わせて周辺を気密封着したものからなる。前面板２の内表面には各放電セル１つ当たりに走査（スキャン）電極４および維持（サステイン）電極５とが設けられている。さらに、誘電体層１０と保護膜層１１が設けられ、誘電体層１０の少なくとも中間位置に二層目配線１７ａ、１７ｂが設けられている。走査電極４、維持電極５、及び二層目配線１７ａ、１７ｂには、Ｃｒ−Ｃｕ−Ｃｒ、金（Ａｕ）、Ａｇ（銀）、クロム（Ｃｒ）、銅（Ｃｕ）、ニッケル（Ｎｉ）、白金（Ｐｔ）やこれらの組み合わせも必要に応じて使用できる。他方の背面板３の内表面には、各放電セル１つ当たりに走査電極４および維持電極５に直交して配置されているデータ（アドレス）電極１２と、さらに誘電体層１３、隔壁１４および蛍光体層１５が設けられている。ＰＤＰパネル１０１の内部には放電ガス１６として希ガスのキセノン・ネオンあるいはキセノン・ヘリウムなどの混合ガスが封入されている。
【００２１】
次に、背面板３の形成方法についてさらに詳しく説明する。他方の背面板３の内表面には、各放電セル１つ当たり、上記前面板２に設けた走査電極４および維持電極５に直交して、Ｃｒ−Ｃｕ−Ｃｒなどから形成した第３の電極であるデータ（アドレス）電極１２を配列する。上記電極には、他の電極材料として、金（Ａｕ）、Ａｇ（銀）、クロム（Ｃｒ）、銅（Ｃｕ）、ニッケル（Ｎｉ）、白金（Ｐｔ）やこれらの組み合わせも必要に応じて使用できる。
【００２２】
さらに、背面板３の内表面には低融点ガラスの誘電体層１３、鉛ガラスの隔壁１４を形成する。隔壁１４は、ここでは材料として鉛ガラスを使用して塗布焼成し、放電セルの複数個の配列を列方向にストライプ状に仕切る所定のパターンで、サンドブラスト法やフォトリソ法によりリブ形状に形成する。隔壁１４の頂部は焼成した鉛ガラスの平面を保ち、ほぼ平坦状となっている。そして、赤、緑、青発光の各蛍光体層１５として、（Ｙ、Ｇｄ）ＢＯ３：Ｅｕ、Ｚｎ２ＳｉＯ４：ＭｎおよびＢａＭｇ２Ａｌ１４Ｏ２４：Ｅｕなどの３色の蛍光体を使用する。このように隔壁１４をパターン状に形成した背面板３に対して、上記蛍光体色毎に印刷塗布、焼成工程を通して、隔壁１４側面と誘電体層１３の表面に蛍光体層１５を形成する。
【００２３】
次に、放電セル単位の構成図によって実施の形態１をさらに詳しく説明する。図２は、本発明の実施の形態１である放電セル構成を示す断面図である。図１と同じ構成のものは同じ参照番号を付与している。図２の放電セル１において、誘電体層１０の少なくとも中間に位置し、一層目配線４ａ〜４ｃ及び５ａ〜５ｃの少なくともひとつと重なりを大きく持つように、簡便な製造方法により、二層目配線１７ａ、１７ｂを設ける。これによって、二層目配線を設けることによって生じる遮光を小さくすることができ、輝度低下を抑制しつつ、二層目配線による放電制御が可能となる。
【００２４】
また、図２に示す構造のように、一層目配線４ａ〜４ｃ及び５ａ〜５ｃと二層目配線１７ａ、１７ｂとの重なりを多く持たせるため、二層目配線１７ａ、１７ｂが、走査電極、維持電極を構成する複数に分割された一層目配線４ａ〜４ｃ及び５ａ〜５ｃの中で互いに最も近接する一層目配線と平面的に重なりを持つ構造において、二層目配線１７ａと一層目配線５ａ〜５ｃ、及び二層目配線１７ｂと一層目配線４ａ〜４ｃを導通させ、二層目配線の１７ａ及び１７ｂの間隔をより狭くすることで、放電開始電圧を低く抑えることができる。実験データでは、二層目配線１７ａ及び１７ｂの間隔が６０μｍ〜８０μｍで、維持電圧が約２０Ｖ低下する効果を得た。
【００２５】
このように、二層目配線１７ａ、１７ｂを導入することで駆動電圧を低下させることができ、消費電力の低いプラズマディスプレイを得ることができる。また、駆動電圧を低下させることで、耐圧の低いドライバＩＣを使用することができ、コストを削減できる。
【００２６】
（実施の形態２）
図１は、本発明の実施の形態２のＰＤＰの構成を示す断面斜視概念図である。なお、図１におけるＰＤＰパネル１０１の構成方法は実施の形態１と同じなので省略し、実施の形態１と異なる部分についてのみ、以下に述べる。
【００２７】
放電セル単位の構成図によって本実施の形態２をさらに詳しく説明する。図３は、本発明の実施の形態２である放電セル構成を示す断面図である。図１と同じ構成のものは同じ参照番号を付与している。図３の放電セル１において、誘電体層１０の少なくとも中間に位置し、一層目配線４ａ〜４ｃ及び５ａ〜５ｃの少なくともひとつと重なりを大きく持つように、簡便な製造方法により、二層目配線１７ａ、１７ｂを設ける。これによって、二層目配線を設けることによって生じる遮光を小さくすることができ、輝度低下を抑制しつつ、二層目配線による放電制御が可能となる。
【００２８】
また、本実施の形態２におけるプラズマディスプレイパネルによれば、図３に示すように二層目配線１７ａ及び１７ｂが、一層目配線４ａ〜４ｃ及び５ａ〜５ｃの中で互いに最も離れた位置にある走査電極（５ａ）、維持電極（４ｃ）とそれぞれ平面的に重なりを持つように形成される構造では、放電が隣接セルへ近づくのを防ぐことができるため、クロストークを減らすことができ、画質を向上させることができる。また、文献（ＳＩＤ２０００、Ｐ１０２）にあるように、効率向上させることができる。
【００２９】
しかし、この上記文献では二層目配線がＩＴＯ透明電極を用いて形成されているため、真空装置を使用した形成方法となり、製造コストが高くなる。
【００３０】
そこで、本発明では、透明でない一層目の配線に対して平面的に重なりを持つように、透明でない二層目配線を形成する。具体的には、金（Ａｕ）、Ａｇ（銀）、クロム（Ｃｒ）、銅（Ｃｕ）、ニッケル（Ｎｉ）、白金（Ｐｔ）やこれらの組み合わせも必要に応じて使用できる。一層目配線と二層目配線の平面的な重なりを大きくすることで、二層目配線として不透明な電極を用いることによって生じる輝度低下を抑制することができる。これによって、二層目配線として不透明な材料を使用することが可能となる。従って、印刷プロセスや描画といった簡易プロセスで配線を形成することができるため、製造プロセス及び製造装置の低コスト化が実現できる。また、一層目配線と同じ材料及びプロセスを用いて二層目配線を形成することで製造プロセスの簡略化ができ、製造コストを下げることができる。さらに、一層目配線と二層目配線を同じ材料で形成することで、配線材料と誘電体材料との反応による色味付きを制御しやすくなり、画面の均一性及び色再現性を向上させることができる。
【００３１】
また、二層目の電極形状を変えたセル構造に対して、放電ばらつきを測定した結果、二層目配線を形成していない従来構造のパネルに比べ、放電ばらつきを１００ｎｓ〜３００ｎｓ小さくすることができた。これにより、高速アドレスが可能となる。
【００３２】
このように、放電ばらつきの大きさは電極形状によって変化するのだが、本発明を用いて所望の電極形状にすることにより、放電ばらつきを制御することが可能となる。さらに、二層目配線をフローティングにすることで、容量が下がり、無効電力も低減することができる。これにより、消費電力の低いプラズマディスプレイを得ることができる。
【産業上の利用可能性】
【００３３】
本発明によるプラズマディスプレイパネルは、放電制御するために二層目配線を設けることによる輝度低下という問題を回避するために、一層目配線と二層目配線との重なりを多く持たせることで、開口率の影響が少なくなり、輝度低下がなく、画質向上、効率向上を簡易なプロセスによって低コストで製造でき、大型のテレビジョンやハイビジョンテレビジョンあるいは大型表示装置など、映像機器産業、宣伝機器産業、産業機器やその他の産業分野に利用することができ、その産業上の利用可能性は非常に広く且つ大きい。
【図面の簡単な説明】
【００３４】
【図１】本発明の実施の形態１および２のＰＤＰの構成を示す断面斜視概念図
【図２】本発明の実施の形態１である放電セル構成を示す断面図
【図３】本発明の実施の形態２である放電セル構成を示す断面図
【図４】従来の面放電型ＡＣ型ＰＤＰの構造を示す断面斜視概念図
【符号の説明】
【００３５】
１    放電セル
２    前面板
３    背面板
４    走査電極
５    維持電極
４ａ，４ｂ，４ｃ，５ａ，５ｂ，５ｃ    一層目配線
１０，１３    誘電体層
１１    保護膜層
１２    データ電極
１４    隔壁
１５    蛍光体層
１６    放電ガス
１７ａ，１７ｂ    二層目配線
１０１    ＰＤＰパネル
【図１】
2005310576.tif 000003
【図２】
2005310576.tif 000004
【図３】
2005310576.tif 000005
【図４】
2005310576.tif 000006